(57)【要約】  非円形の容器本体（４）とキャップ閉鎖部（１４）とを備える化粧品用の広口瓶（２）が提供される。容器本体（４）が、底パネル（８）によって画定された閉鎖端部（６）と口部（１２）によって画定された開放端部とを特徴としている。外面にある底パネル（８）には、三日月形の対称的に配設された突き出た脚部（６６）が設けられている。キャップ閉鎖部（１４）は、口部（１２）のまわりに係合可能な、容器本体（４）上に支持される取付け具（１６）を含んでいる。蓋（１８）は取付け具（１６）に蝶番連結され、ドーム状の上面を有する屋根パネル（２０）によって画定される。上面は、屋根パネル（２０）の両縁部に沿って互いに対称的に形成された１対の三日月形の窪み部（２４、２６）を含んでいる。三日月形の窪み部（２４、２６）は、広口瓶を充分に安定した状態で積み重ねることを可能にする。ドーム状の（湾曲した）屋根パネル（２０）は、力を（積み重ねられた瓶から）キャップ閉鎖部（１４）に沿ってより均等に分配する。これによって広口瓶の壁厚を縮小することができ、プラスチックの重量を低減することができる。
2011514820.tif 000002
【特許請求の範囲】
【請求項１】
化粧品用広口瓶（１２）であって、
（ｉ）底パネル（８）によって画定された閉鎖端部（６）と口部（１２）によって画定された開放端部とを有する非円形の容器本体（４）において、外面上の底パネル（８）には、対称的に配設された三日月形の突き出た脚部が設けられている、非円形の容器本体（４）と、
（ｉｉ）キャップ閉鎖部（１４）を備え、該閉鎖部が
（ａ）口部（１２）の周りに係合可能な、容器本体（４）上に支持される取付け部（１６）と、
（ｂ）取付け部（１６）に蝶番連結され、ドーム状の上面を有する屋根パネル（２０）によって画定された蓋（１８）を備え、上面が、屋根パネル（２０）の両縁に沿って形成された、互いに対称をなす１対の三日月形の窪み部（２４、２６）を備える、広口瓶（１２）。
【請求項２】
三日月形の窪み部（２４、２６）が、末端セクション（３０、３２）を両側に配する中央セクション（２８）を備え、中央セクション（２８）は、末端セクション（３０、３２）よりも屋根パネル（２０）内に深い溝が付けられている、請求項１に記載の広口瓶。
【請求項３】
末端セクション（３０、３２）がＶ字形状の床部を有する、請求項２に記載の広口瓶。
【請求項４】
屋根パネル（２０）が下向きに突き出た覆い部（３４）によって縁取られ、覆い部（３４）が前方部分（３６）と、後方部分（３８）と、前方部分（３６）および後方部分（３８）を架橋する対向した両側部分（４０、４２）とを有する、請求項１から３のいずれか一項に記載の広口瓶。
【請求項５】
前方部分（３６）と後方部分（３８）が、凹型に形成された低い縁部（４４）を有する、請求項４に記載の広口瓶。
【請求項６】
屋根パネル（４８）の内面から下方に突き出たシールプラグ（４６）をさらに備え、シールプラグ（４６）が、覆い部の前方部分（３６）、後方部分（３８）、および両側部分（４０、４２）の内側に存在し、断続なくそれらと並置されている、請求項１から５のいずれか一項に記載の広口瓶。
【請求項７】
シールプラグ（４６）が前方セクション（５０）と、後方セクション（５２）と、前方セクション（５０）および後方セクション（５２）を架橋する対向した両側セクション（５４、５６）とを有し、前方セクション（５０）と後方セクション（５２）が、凹型に形成された低い縁部（５８）を有する、請求項６に記載の広口瓶。
【請求項８】
蓋シール（６０）が口部（１２）を取り囲み、上方に蓋（１８）の方へと突き出る、請求項６または７に記載の広口瓶。
【請求項９】
シールプラグ（４６）が、閉鎖位置では蓋シール（６０）の内側に対合するように着座している、請求項８に記載の広口瓶。
【請求項１０】
周囲に沿った蓋シール（６０）が、その周囲に沿って外方に突き出たシールビーズ（６２）を有し、シールビーズ（６２）が、凹型に形成されたその低い縁部（４４）に沿って覆い部（３６）の前方部分の内側に対合するように着座している、請求項８または９に記載の広口瓶。
【請求項１１】
取付け部（１６）上でシールビーズ（６２）の下に支持畝部（６４）をさらに備え、支持畝部（６４）が、覆い部の前方部分（３６）と後方部分（３８）の凹型に形成された低い縁部と対合するように係合する凸型の湾曲部を有する、請求項１０に記載の広口瓶。
【請求項１２】
容器の底パネル（８）が外方かつ下方に凹型に形成され、それによって、外側周囲に沿って別の広口瓶の三日月形の窪み部（２４、２６）と係合して上下に積み重ねられるように形状化された１セットの並置された脚部（６６）を作り出している、請求項１から１１のいずれか一項に記載の広口瓶。
【発明の詳細な説明】
【技術分野】
【０００１】
本発明は、ドーム状の蓋を有する、上下に積み重ね可能に構造化された広口瓶に関する。
【背景技術】
【０００２】
通常、「広口瓶」という用語は高さの低い広口の容器を指す。化粧品産業においては、広口瓶は、コールドクリーム用およびワセリン用に選択されるパッケージングである。実際、ＶＡＳＥＬＩＮＥまたはＶＡＳＥＬＩＮＯＳという商標で販売されているワセリン用広口瓶が、広口瓶の主要な化粧品である。これらのパッケージは、割合として高さが低いことから、販売業者は、店内の棚スペースを効果的に利用するために、広口瓶を上下に積み重ねる必要がある。積み重ねが可能であるということは、これらのパッケージを製造者から小売店に移送する際に望ましい特徴でもある。
【０００３】
環境に対する懸念や経済的側面から、軽量パッケージの製作が必要となってくる。望ましくは、パッケージングから過剰なプラスチックが除去されるべきである。通常、広口瓶はスペースを節約するために積み重ね可能でなければならない。積み重ねるために広口瓶の壁を充分頑丈にするように、一定量のプラスチックが必要とされる。
【０００４】
本発明者は、湾曲された（ドーム状の）キャップが力をより均等に分配することを見出している。下向きの力はあまり発生しない。したがって、平らなキャップの付いた広口瓶に対して通常必要となる壁よりも薄い壁で、広口瓶が構築されることが可能である。当然ながら、湾曲した表面で問題となるのは、その上で物体が容易に安定して留まらないということである。湾曲していると安定性の問題が生じる。
【先行技術文献】
【特許文献】
【０００５】
【特許文献１】米国特許第６４１２６３４号明細書
【発明の概要】
【発明が解決しようとする課題】
【０００６】
米国特許第６４１２６３４号明細書（Ｔｅｌｅｓｃａら）は、ウェットペーパータオル用の押し上げ式ドーム状蓋の引き抜き容器を開示している。ウェットペーパータオルの引き抜き用穴孔の内側周囲には、ドーム状の蓋と一致するドーム状のプラットフォームが存在する。蓋と引き抜き用穴孔とのぴったりとした嵌りを保証するための専用のプラグシールについて記載されている。本発明の焦点は、第１の広口瓶の上に第２の同様の広口瓶が安定して位置決めされることを可能にする曲線上面を有する蓋を備えた広口瓶を提供することである。本発明による特定の実施形態の第２の目的は、曲線を備えた広口瓶に対して適切な密閉システムを提供することである。
【課題を解決するための手段】
【０００７】
化粧品用広口瓶であって：
（ｉ）底パネルによって画定された閉鎖端部と口部によって画定された開放端部とを有する非円形の容器本体において、外面上の底パネルには、対称的に配設された三日月形の突き出た脚部が設けられている、非円形の容器本体と、
（ｉｉ）キャップ閉鎖部を備え、該閉鎖部が
（ａ）口部のまわりに係合可能な、容器本体上に支持される取付け部と、
（ｂ）取付け部に蝶番連結され、ドーム状の上面を有する屋根パネルによって画定された蓋を備え、ドーム状の上面は、屋根パネルの両縁に沿って形成された、互いに対称をなす１対の三日月形の窪み部を備える、化粧品用広口瓶が提供される。
【０００８】
図面を考慮することによって、本発明のさらなる特徴および利点がより明らかになる。
【図面の簡単な説明】
【０００９】
【図１】本発明の一実施形態による広口瓶の平面斜視図である。
【図２】図１の広口瓶の上面図である。
【図３】積み重ねられた広口瓶を示す図である。
【図４】蓋が開放位置に移動されている、図１と類似の立面図である。
【図５Ａ】屋根パネル上の三日月形の窪み部の深さの変化と形状とを示す、図２の線５Ａ−５Ａによる部分断面図である。
【図５Ｂ】窪み部の末端セクション付近の深さを示す、図５Ａの線５Ｂ−５Ｂによる部分断面図である。
【図５Ｃ】窪み部の中央セクションのまわりの深さを示す、図５Ａの線５Ｃ−５Ｃによる部分断面図である。
【図６】図１の線６−６による断面図である。
【図７】図６に示された輪郭破線における一部区域の断面図である。
【図８】底パネルを示す、広口瓶の傾斜立面図である。
【発明を実施するための形態】
【００１０】
本発明者は、１対の三日月形の窪み部（湾曲した溝）を使用することによって滑りを防止できることを見出している。窪み部は、積み重ねられた広口瓶が他方の広口瓶の屋根パネルから滑り落ちることを防止するだけでなく、横向きの落下も防止する。本発明の三日月形状は、キャップ閉鎖部上の両方向の不安定さが最小限に抑えられることが可能となることを保証する。
【００１１】
図１は本発明の広口瓶２を示している。このパッケージは、底パネル８によって画定された閉鎖端部６と口部１２によって画定された開放端部とを有する非円形の容器本体４を含んでいる。
【００１２】
容器本体の開放端部１０を覆うようにキャップ閉鎖部１４が配置されている。
【００１３】
図１は、キャップ閉鎖部の完全に閉鎖された位置を示している。図４は開放位置を示している。キャップ閉鎖部は、口部１２のまわりに係合可能な、容器本体上に支持される取付け部１６を含んでいる。取付け具には蓋１８が蝶番連結されている。蓋は、ドーム状の上面を有する屋根パネル２０によって画定される。
【００１４】
図２は、上面を、屋根パネルの両縁に沿って形成された、互いに対称をなす１対の三日月形の窪み部２４、２６を含むものとして示している。図３は、積み重ねの配置において、広口瓶２が広口瓶３（キャップ閉鎖部のない状態で示されている）の基部としての役割を果たしているところを示している。
【００１５】
図５Ａは、三日月形の窪み部２４に的を絞った蓋の部分断面図を示している。窪み部は、末端セクション３０、３２を両側に配する中央セクション２８を含んでいる。中央セクション２８は丸みを帯びた、中点でほぼ平坦な床部を有している。中央セクション２８には末端セクション３０、３２よりも深い溝が屋根パネル内に付けられている。図５Ｃは中央セクションを最も良く表わしている。これらのセクションは形状も異なる。末端セクション３０、３２はＶ字形の床部を有している。図５Ｂは端末セクションを最も良く表わしている。
【００１６】
図４は屋根パネル２０の内面４８を最も良く示している。屋根パネルは下向きに突き出た覆い部３４に縁取られている。この覆い部は前方部分３６と、後方部分３８と、対向した両側部分４０、４２とによって画定される。両側部分は前方部分と後方部分を架橋している。前方部分と後方部分は凹型に形成された低い縁部４４を有している。
【００１７】
屋根パネルの内面４８からシールプラグ４６が下向きに突き出ている。シールプラグは、覆い部の前方部分、後方部分、および両側部分の内側にあり、断続なくそれらと並置されている。さらに、シールプラグは前方セクション５０、後方セクション５２、および両側セクション５４、４６を有している。前方セクションと後方セクションは凸形に形成された低い縁部５８を有している。
【００１８】
口部１２を蓋シール６０が取り囲み、これが蓋１８に向かって上方に突き出ている。図７で最も良く示されているように、蓋シール６０の周囲に沿って、外方に突き出たシールビーズ６２が存在する。シールビーズは、凹型に形成された低い縁部４４に沿って覆い部の前方部分３６の内部に対合するように着座している。広口瓶は、閉鎖蓋位置ではシールプラグが蓋シールの内側にそれと対合するように着座することを特徴とする。
【００１９】
取付け部１６上、シールビーズの下には支持畝部６４が見受けられる。支持畝部は、覆い部の前方部分と後方部分の凹型に形成された低い縁部と対合するように係合する凸型の湾曲部を有している。
【００２０】
図８は、容器本体の底パネル８が、外方かつ下方に凹形に形成されていることを示している。この構造は、広口瓶２の上に積み重ねられた際にこの広口瓶２の三日月形の窪み部２４と係合するように形状化された並置された１セットの脚部６６を、底パネルの外側周囲に沿って作り出している。
【図１】
2011514820.tif 000003
【図２】
2011514820.tif 000004
【図３】
2011514820.tif 000005
【図４】
2011514820.tif 000006
【図５Ａ】
2011514820.tif 000007
【図５Ｂ】
2011514820.tif 000008
【図５Ｃ】
2011514820.tif 000009
【図６】
2011514820.tif 000010
【図７】
2011514820.tif 000011
【図８】
2011514820.tif 000012
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
化粧品用広口瓶（１２）であって、
（ｉ）底パネル（８）によって画定された閉鎖端部（６）と口部（１２）によって画定された開放端部とを有する非円形の容器本体（４）において、外面上の底パネル（８）には、対称的に配設された三日月形の突き出た脚部（６６）が設けられている、非円形の容器本体（４）と、
（ｉｉ）キャップ閉鎖部（１４）を備え、該閉鎖部が
（ａ）口部（１２）のまわりに係合可能な、容器本体（４）上に支持される取付け部（１６）と、
（ｂ）取付け部（１６）に蝶番連結され、ドーム状の上面を有する屋根パネル（２０）によって画定された蓋（１８）を備え、上面は、屋根パネル（２０）の両縁部に沿って形成された、互いに対称をなす１対の三日月形の窪み部（２４、２６）を備え、
対称的に配設された三日月形の突き出た脚部は、同様の別の広口瓶の上に積み重ねられると、他方の同様の広口瓶の三日月形の窪み部と係合することを特徴とする、化粧品用広口瓶。
【請求項２】
三日月形の窪み部（２４、２６）が、末端セクション（３０、３２）を両側に配する中央セクション（２８）を備え、中央セクション（２８）は、末端セクション（３０、３２）よりも屋根パネル（２０）内に深い溝が付けられている、請求項１に記載の広口瓶。
【請求項３】
末端セクション（３０、３２）がＶ字形状の床部を有する、請求項２に記載の広口瓶。
【請求項４】
屋根パネル（２０）が下向きに突き出た覆い部（３４）によって縁取られ、覆い部（３４）が前方部分（３６）と、後方部分（３８）と、前方部分（３６）および後方部分（３８）を架橋する対向した両側部分（４０、４２）とを有する、請求項１から３のいずれか一項に記載の広口瓶。
【請求項５】
前方部分（３６）と後方部分（３８）が、凹型に形成された低い縁部（４４）を有する、請求項４に記載の広口瓶。
【請求項６】
屋根パネル（４８）の内面から下方に突き出たシールプラグ（４６）をさらに備え、シールプラグ（４６）が、覆い部の前方部分（３６）、後方部分（３８）、および両側部分（４０、４２）の内側に存在し、断続なくそれらと並置されている、請求項１から５のいずれか一項に記載の広口瓶。
【請求項７】
シールプラグ（４６）が前方セクション（５０）と、後方セクション（５２）と、前方セクション（５０）および後方セクション（５２）を架橋する対向した両側セクション（５４、５６）とを有し、前方セクション（５０）と後方セクション（５２）が、凹型に形成された低い縁部（５８）を有する、請求項６に記載の広口瓶。
【請求項８】
蓋シール（６０）が口部（１２）を取り囲み、上方に蓋（１８）の方へと突き出る、請求項６または７に記載の広口瓶。
【請求項９】
シールプラグ（４６）が、閉鎖位置では蓋シール（６０）の内側に対合するように着座している、請求項８に記載の広口瓶。
【請求項１０】
周囲に沿った蓋シール（６０）が、その周囲に沿って外方に突き出たシールビーズ（６２）を有し、シールビーズ（６２）が、凹型に形成されたその低い縁部（４４）に沿って覆い部（３６）の前方部分の内側に対合するように着座している、請求項８または９に記載の広口瓶。
【請求項１１】
取付け部（１６）上でシールビーズ（６２）の下に支持畝部（６４）をさらに備え、支持畝部（６４）が、覆い部の前方部分（３６）と後方部分（３８）の凹型に形成された低い縁部と対合するように係合する凸型の湾曲部を有する、請求項１０に記載の広口瓶。
【国際調査報告】
2011514820.tif 000013
2011514820.tif 000014